(57)【要約】      （修正有）【課題】著作権の検証および認証を自動で行う、ＰＯＤを基礎とした著作物の編集物のオンラインでの作成および購入のための、より効果的で費用効率のよい方法および関連装置を提供する。【解決手段】著作物の編集物を編集するステップと、著作物の編集物を購入可能にする前に、著作物の適法な頒布を確保するために、オンデマンド印刷（ＰＯＤ）による購入のために編集された各著作物の知的財産権を自動で検証するステップと、を有する、著作物の編集物の知的財産権を検証する方法。【選択図】図３
2014013558.tif 000002
【特許請求の範囲】
【請求項１】
著作物の編集物を編集するステップと、
著作物の編集物を購入可能にする前に、著作物の適法な頒布を確保するために編集された各著作物の知的財産権を自動で検証するステップと、
を有する、著作物の編集物の知的財産権を検証する方法。
【請求項２】
編集された著作物の知的財産権を検証するステップは、著作物に組み込まれたメタデータに基づく、請求項１に記載の方法。
【請求項３】
編集された著作物の知的財産権を検証するステップは、著作物に付加されたタグに基づく、請求項１に記載の方法。
【請求項４】
編集された著作物の知的財産権を検証するステップは、著作物に関連付けられたしるしに基づく、請求項１に記載の方法。
【請求項５】
編集された著作物の知的財産権を検証するステップは、著作物に含まれる情報に基づく、請求項１に記載の方法。
【請求項６】
編集された著作物の知的財産権を検証するステップは、著作物に印刷されたバーコードに基づく、請求項１に記載の方法。
【請求項７】
編集された各著作物の知的財産権が検証された後に、著作物の編集物内に知的財産権認証ページを自動で挿入するステップをさらに有する、請求項１〜６のいずれか一項に記載の方法。
【請求項８】
編集された全ての著作物の知的財産権が検証された場合に、著作物の編集物を購入可能にするステップをさらに有する、請求項１〜７のいずれか一項の方法。
【請求項９】
編集された全ての著作物の知的財産権が検証された場合に、著作物の編集物をアクティブ化して購入可能にするステップをさらに有する、請求項１〜８のいずれか一項に記載の方法。
【請求項１０】
編集された著作物のいずれかの知的財産権が検証できない場合に、著作物の編集物を購入不可にするステップをさらに有する、請求項１〜９のいずれか一項に記載の方法。
【請求項１１】
著作物の編集物を編集するステップと、
著作物の編集物を購入可能にする前に、著作物の適法な頒布を確保するために編集された各著作物の知的財産権を自動で検証するステップと、
を含む著作物の編集物の知的財産権を検証するためのプロセスを、データ処理装置に実行させる、データ処理装置を制御するためのプログラム。
【請求項１２】
編集された著作物の知的財産権を検証するステップは、著作物に組み込まれたメタデータに基づく、請求項１１に記載のコンピュータプログラム。
【請求項１３】
編集された著作物の知的財産権を検証するステップは、著作物に付加されたタグに基づく、請求項１１に記載のコンピュータプログラム。
【請求項１４】
編集された著作物の知的財産権を検証するステップは、著作物に関連付けられたしるしに基づく、請求項１１に記載のコンピュータプログラム。
【請求項１５】
編集された著作物の知的財産権を検証するステップは、著作物に含まれる情報に基づく、請求項１１に記載のコンピュータプログラム。
【請求項１６】
編集された著作物の知的財産権を検証するステップは、著作物に印刷されたバーコードに基づく、請求項１１に記載のコンピュータプログラム。
【請求項１７】
前記プロセスは、編集された各著作物の知的財産権が検証された後に、著作物の編集物内に知的財産権認証ページを自動で挿入するステップをさらに有する、請求項１１〜１６のいずれか一項に記載のコンピュータプログラム。
【請求項１８】
前記プロセスは、編集された全ての著作物の知的財産権が検証された場合に、著作物の編集物を購入可能にするステップをさらに有する、請求項１１〜１７のいずれか一項のコンピュータプログラム。
【請求項１９】
前記プロセスは、編集された全ての著作物の知的財産権が検証された場合に、著作物の編集物をアクティブ化して購入可能にするステップをさらに有する、請求項１１〜１８のいずれか一項に記載のコンピュータプログラム。
【請求項２０】
前記プロセスは、編集された著作物のいずれかの知的財産権が検証できない場合に、著作物の編集物を購入不可にするステップをさらに有する、請求項１１〜１９のいずれか一項に記載のコンピュータプログラム。
【請求項２１】
請求項１１〜２０のいずれか一項のコンピュータプログラムが保存されたコンピュータ読み取り可能な記録媒体。
【発明の詳細な説明】
【技術分野】
【０００１】
発明の背景
発明の分野
本発明は、概して、著作物のオンデマンド編集物のオンラインでの作成および印刷を行う方法およびこれに関連する装置に関し、特に、コンテンツの管理、および著作権の自動的な検証および認証がなされるとともにオンデマンドで印刷される冊子への記事の組み入れに関する。
【背景技術】
【０００２】
関連技術の説明
印刷および通信の新たな技術の急速な発達により、顧客の要求により、典型的には専門の印刷ショップで、比較的小規模で印刷または電子的形態により業務用品質に仕上げられた書籍や編集冊子などの製品を生産することを一般的に指すオンデマンド印刷（ＰＯＤ）により、印刷その他電子的形態により著作物のカスタマイズされた編集物の作成および提供が可能となっている。
【０００３】
著作物の編集物を作成および創作する一つの例として、多くの教育施設において教師や教授がしばしば著作物群を集めて編集し教材の分冊にする必要がある場合がある。他の例としては、企業体または団体において、指導者やトレーナーが著作物群を集めて編集してトレーニング資料の冊子にする必要がある場合がある。そのような著作物には、従来はハードコピーにより利用可能で、現在はポータブル・ドキュメント・フオーマット（ＰＤＦ）といった電子（デジタル）フォーマットでの利用が増大している発行された新聞または記事、画像および図形等が含まれていることがある。これらの著作物には、例えば、教師または指導者自身のハードディスクドライブのようなコンピュータ記憶装置内、または施設または組織のサーバーにおいて教師または指導者に割り当てられたファイルフォルダー内に保存された教師または指導者自身のコレクションの中のＰＤＦファイルが含まれていることがある。これらの著作物には、また、例えば、第三者のサーバー内に保存され、ユニフォーム・リソース・ロケーター（ＵＲＬ）リンクによりインターネットのようなコンピューターネットワーク経由でアクセス可能な他の第三者のコレクションの中のＰＤＦファイルが含まれていることもある。
【０００４】
教師や指導者がＰＤＦファイルを選ぶとすぐに、それらは一緒にまとめられることにより著作物の編集物が作成されることができる。著作物の編集物が記事の分冊または冊子として作成された後、生徒または組織のメンバーは、その生徒または組織のメンバーへの分冊または冊子の印刷および配達が可能な印刷ショップにＰＯＤオーダーを出すことにより分冊または冊子を購入することができる。
【０００５】
著作物の編集物である分冊または冊子を購入するとき、著作物の編集物において使用されているすべての記事および内容に対して要求されかつ必要なすべての著作権のライセンスまたは使用許諾が含まれている結果、その分冊や冊子が続いて購入および印刷されるときに知的財産（ＩＰ）権の問題が生じることがない、ということは重要である。このため、著作権の検証および認証を自動で行う、ＰＯＤを基礎とした著作物の編集物のオンラインでの作成および購入のための、より効果的で費用効率のよい方法および関連装置の提供が求められている。
【発明の開示】
【０００６】
概要
本発明は、著作物の編集物の作成および印刷のための方法および関連装置を対象とするものであり、自動で知的財産（ＩＰ）権の検証および認証を行うとともに、簡易にコンテンツを管理して容易に注文および印刷可能な冊子へ記事を組み入れるためのより効果的かつ経済的なオンラインのプラットフォームを提供する。
【０００７】
本発明のさらなる特徴および優位点は、本明細書において説明され、本明細書において明確になるであろうし、もしくは、本発明の実施により理解することができる。本発明の目的および他の優位点は添付された図面、明細書の記載および請求項において特に指摘された構造により理解され、実現されるであろう。
【０００８】
これらの目的およびその他の目的の少なくともいずれかを達成するために、具体化されて概要が記載されるように、本発明は、著作物の編集物の適法な頒布を保証するために、著作物の編集物を編集し、購入可能な著作物の編集物を作成する前に編集された各著作物の知的財産権を自動で検証するステップを含み、オンデマンド印刷（ＰＯＤ）による購入のために作成された著作物の各編集物の知的財産権を検証する方法を提供する。
【０００９】
別の側面において、本発明の実施例の一つは、上記方法をデータ処理装置に実行させるコンピュータプログラム、すなわち、データ処理装置を制御するコンピュータプログラム、上記方法をデータ処理装置に実行させるためのコンピュータプログラムをさらに提供する。
【００１０】
前述した一般的な説明および後述する詳細な説明は共に、例示的かつ説明のためのものであり、請求項に記載された発明のさらなる説明を提供するためのものである。
【図面の簡単な説明】
【００１１】
図面の簡単な説明
【図１】図１は、本発明の実施形態が実施される例示的なオンライン環境を概略的に示している。
【図２】図２は、本発明の実施形態が実施される例示的なコンピュータプログラムアーキテクチャーを概略的に示している。
【図３】図３は、本発明の実施形態に係る、著作物の編集物の生成および印刷をコンピュータに実行させる方法の一部として、オンラインでのコンテンツの管理および冊子の作成の例示的なプロセスを概略的に示している。
【図４】図３に示された、コンテンツのオンライン管理の例示的なプロセスの各ステップを実施することに基づくスクリーンショットを描いている。
【図５】図３に示された、コンテンツのオンライン管理の例示的なプロセスの各ステップを実施することに基づくスクリーンショットを描いている。
【図６】図３に示された、コンテンツのオンライン管理の例示的なプロセスの各ステップを実施することに基づくスクリーンショットを描いている。
【図７】図３に示された、コンテンツのオンライン管理の例示的なプロセスの各ステップを実施することに基づくスクリーンショットを描いている。
【図８】図３に示された、コンテンツのオンライン管理の例示的なプロセスの各ステップを実施することに基づくスクリーンショットを描いている。
【図９】図３に示された、コンテンツのオンライン管理の例示的なプロセスの各ステップを実施することに基づくスクリーンショットを描いている。
【図１０】図３に示された、コンテンツのオンライン管理の例示的なプロセスの各ステップを実施することに基づくスクリーンショットを描いている。
【図１１】図３に示された、コンテンツのオンライン管理の例示的なプロセスの各ステップを実施することに基づくスクリーンショットを描いている。
【図１２】図３に示された、コンテンツのオンライン管理の例示的なプロセスの各ステップを実施することに基づくスクリーンショットを描いている。
【図１３】図３に示された、コンテンツのオンライン管理の例示的なプロセスの各ステップを実施することに基づくスクリーンショットを描いている。
【図１４】図３に示された、コンテンツのオンライン管理の例示的なプロセスの各ステップを実施することに基づくスクリーンショットを描いている。
【図１５】図３に示された、コンテンツのオンライン管理の例示的なプロセスの各ステップを実施することに基づくスクリーンショットを描いている。
【図１６】図３に示された、コンテンツのオンライン管理の例示的なプロセスの各ステップを実施することに基づくスクリーンショットを描いている。
【図１７】図３に示された、コンテンツのオンライン管理の例示的なプロセスの各ステップを実施することに基づくスクリーンショットを描いている。
【図１８】図３に示された、コンテンツのオンライン管理の例示的なプロセスの各ステップを実施することに基づくスクリーンショットを描いている。
【図１９】図３に示された、コンテンツのオンライン管理の例示的なプロセスの各ステップを実施することに基づくスクリーンショットを描いている。
【図２０】図３に示された、コンテンツのオンライン管理の例示的なプロセスの各ステップを実施することに基づくスクリーンショットを描いている。
【図２１】図３に示された、コンテンツのオンライン管理の例示的なプロセスの各ステップを実施することに基づくスクリーンショットを描いている。
【図２２】図３に示された、コンテンツのオンライン管理の例示的なプロセスの各ステップを実施することに基づくスクリーンショットを描いている。
【図２３】図３に示された、コンテンツのオンライン管理の例示的なプロセスの各ステップを実施することに基づくスクリーンショットを描いている。
【図２４】図３に示された、コンテンツのオンライン管理の例示的なプロセスの各ステップを実施することに基づくスクリーンショットを描いている。
【発明を実施するための形態】
【００１２】
好適な実施の形態の説明
本発明の実施形態は、著作物の編集物の印刷および使用に対して要求される著作権を含む知的財産（ＩＰ）権の自動的な検証および認証のステップを含み、オンデマンド印刷（ＰＯＤ）を基盤とし、著作物の編集物のオンライン管理、生成、および購入のためのより効果的かつ経済的な方法およびこれに関連する装置を提供する。
【００１３】
著作物の編集物の制御、作成、および印刷が要求される実際の状況の例としては、教育施設において教師または教授が教材をまとめて生徒に注文および購入させる必要がある場合がある。このような要求の実際の状況の他の例として、企業団体または企業組織の指導者または訓練者が訓練資料をまとめて会員に注文および購入させる必要がある場合がある。
【００１４】
図１を参照すれば、本発明の実施形態に係るオンライン環境の例が概略的に示されている。オンライン環境の例には、インターネットその他の通信リンクのような少なくとも１つのコンピュータネットワーク１０を介して接続された、サーバー２、クライアントコンピュータ４、少なくとも１つの著作権管理センターサーバー６、および印刷ショップサーバー８を含む。クライアント（教師および訓練者、または生徒または組織の会員のような）は、クライアントコンピュータ４を使用してサーバー２と相互に通信する。サーバー２は、メモリーに保存したコンピュータプログラムを実行して、本発明の実施形態に係るプロセスを実施する。著作権管理センターサーバー６は、デジタルコンテンツおよび関連する著作権データまたはクライアントによる使用のために得るライセンス情報を保存する。印刷ショップは、本、冊子等の印刷製品を生産するためのプリンターおよび他の様々な画像複製装置が設置された専門の印刷ショップであり得る。印刷ショップサーバー８は、クライアントまたは取引先により印刷ショップに提出された印刷ジョブを管理する。
【００１５】
サーバー２は、一般的に、コンテンツ元からコンテンツを検索および取得し、それらを電子ファイルに編集し、編集されたファイルをＰＯＤサービスに提出して印刷製品を生産し、編集された著作物の印刷製品を注文し購入することが可能な総合サービスをクライアントに提供する。クライアントは、サーバー２上でユーザーアカウントを確立した時点で、自身のコンピュータ４からネットワーク１０を介してサーバー２にアクセスすることができる。サーバー２は、著作権管理センターサーバー６と相互に通信し、編集された著作物のコンテンツを検索および取得する。サーバー２は、また、編集された著作物をハードコピーまたは電子形態で印刷し供給するために、印刷ショップサーバー８と相互に通信する。
【００１６】
本願においては、「著作権管理センター」という用語は、著作権のある素材の管理および頒布と、著作権者への支払いの取得および送金とを容易にする場所またはサービスを広く指すものとする。典型的には、著作権管理センターは、ユーザーが著作物に関する著作権の情報を置くことができる著作権登録を提供することにより、またユーザーによる著作権の売買が可能な著作権の交換市場を提供することにより、さらに第三者配信プラットフォームと接続可能な著作権清算サービスを提供することにより、著作権のあるコンテンツへの合法的なアクセスを容易にする。そのような著作権制御サンターの例には、様々な組織により維持されているいくつかの出版社または電子図書館により維持されている出版された著作物のデジタルレポジトリーが含まれる。著作権管理センターの他の例としては、著作権清算センターが含まれる。
【００１７】
従って、図１に示すオンライン環境の「著作権管理センター６」には、デジタルコンテンツのすべての形式のソース、およびそれらの著作権データおよびライセンス情報が含まれ得る。図１に示すオンライン環境の「著作権管理センター６」には、さらに広く、記事、出版物その他のコンテンツおよび作品のハードコピーまたは電子コピーが保存その他保持がされているデータベースまたは保管場所のような全ての第三者コンテンツソースが含まれ得る。
【００１８】
図１に示すオンライン環境の個々の要素の物理的位置または商業的関係は重要ではない。例えば、サーバー２は、著作権管理センター、印刷ショップ、または別個の機関、組織、または商業施設により運営されてもよい。
【００１９】
また、本願において、「クライアント」という用語は、顧客または本発明の実施形態により提供される方法および関連装置を使用する者すべてを指す。例えば、教育施設の教師または生徒、組織における指導者または会員を指す。具体的には、本願において説明される過程において、「クライアント」とは、「冊子編集者」および「冊子読者」を指す。ここで、「冊子編集者」（または「編集者」）とは、コンテンツまたは記事を管理し、コンテンツまたは記事から著作物の編集物を作成する者すべてを指す。また、「冊子読者」（または「読者」）とは、すでに作成された、著作物の編集物の最終製品の印刷を注文し、または購入する者すべてを指す。例えば、編集者は、教育施設における教師または組織における指導者であり、一方、読者は、教育施設における生徒または組織における会員である。
【００２０】
編集者および読者はサーバー２におけるアクセスアカウントを有しており、サーバー２においていくつかの共通の権利および特徴を共有することができるが、こららの者の他の権利は相違してもよい。例えば、編集者は著作物の編集物から冊子を作成する権利を有する一方、読者はそのような権利を有さず冊子の印刷を注文する権利を有してもよい。これらの詳細は、以下の説明により、より明白かつ明確になるであろう。
【００２１】
先に述べたように、本願の一面においては、データ処理装置に本発明の方法を実行させるコンピュータプログラム製品により具体化される。コンピュータプログラム製品には、コンピュータに実装されることでデータ処理装置を制御する、コンピュータにより読み取り可能なプログラムコードを有する非一時的な媒体（例えば、メモリーまたは記憶装置）が含まれる。ここで、コンピュータにより読み取り可能なプログラムコードはデータ処理装置に本発明の方法を実行させる。コンピュータにより読み込み可能なプログラムコードには多くの機能モジュールが含まれ、以下説明するプロセスのステップに密接に関連する要素の一つは図２に例示されている。
【００２２】
図２を参照すると、本発明の実施形態が実装されたコンピュータアーキテクチャーの例が概略的に示されている。図２に示すコンピュータプログラムアーキテクチャーには必須の要素であり本発明によるプロセスのステップに密接に関連する機能モジュールを含まれている。
【００２３】
より詳細には、図１に示すサーバー２（および／または印刷ショップサーバー８）において制御および操作を実行する、本発明のプロセスのステップに関連するステップを実行するためのオンラインプラットフォームを提供するためのオンラインプラットフォーム２０が示されている。当該ステップには、クライアントにユーザーインターフェース（ＵＩ）を提供し、サーバー２においてクライアントアカウントおよびアクセス管理を提供し、サーバー２においてクライアントにフォルダー構造および記憶管理を提供し、およびサーバー２においてオンラインによる注文および支払の能力を供給する等のステップを含むが、これに限定されない。
【００２４】
また、図２には、編集者によるサーバー２へのアクセスを提供し、サーバー２において編集者のアカウント情報を管理し、編集者に割り当てられるファイルフォルダーを管理し、冊子を作成および編集し、オンラインで冊子を注文および支払をする等のために、図１に示す顧客のコンピュータ４またはサーバー２（および／または著作権管理センター６）において制御および操作を実行する冊子編集モジュール２４が示されている。
【００２５】
さらに、図２には、読者によるサーバー２へのアクセスを提供し、サーバー２における読者のアカウント情報を管理し、冊子を閲覧および検索し、冊子を注文および支払い等するために、図１に示す顧客のコンピュータ４またはサーバー２（および／または著作権管理センター６）において制御および操作を実行する冊子読み出しモジュール２６が示されている。
【００２６】
加えて、図２には、オンラインプラットフォーム２０でなされる印刷の注文を処理し、冊子購入の支払いを処理し、印刷ジョブの指令をし、印刷ショップサーバー８へ冊子の電子ファイルを送信し、冊子の生産、集版、および配送を扱う等のために、図１に示すサーバー２（および／または印刷ショップ８におけるサーバー）において制御および操作を実行する冊子生産モジュール２８が示されている。
【００２７】
本発明の実施形態が実装されるコンピュータプログラムアーキテクチャーの例には、図２に示されない、本発明の方法に係るプロセスのステップの実行を容易にする他の機能モジュールを含むことができる。
【００２８】
図３を参照すれば、本発明の実施形態に係る、著作物の編集物の生成および印刷をコンピュータに実行させる方法の一部として、オンラインでのコンテンツの管理および冊子の作成の例示的なプロセスの概略図が示されている。図３に示すステップは、例えば図１に示すサーバー２である、オンラインプラットフォームを提供するサーバーにおいて、編集者がファイルを管理し、冊子を作成するステップを概して反映している。勿論、編集者に限らず、サーバーにアクセスでき、サーバー上で自身に割り当てられたファイルフォルダーを管理する権限を有する者はすべて、サーバー上で自己のファイルを管理するためのこれらのステップを行うことができる。
【００２９】
図３に示すステップＳ１００のように、編集者は、例えばオンラインプラットフォームのウェブサイトにアクセスすることにより、オンラインプラットフォームにアクセスする。編集者は、通常、ログインするために、有効なユーザーネームおよび合致するパスワードを供給する必要がある。
【００３０】
図４を参照すれば、編集者がウェブサイトにログインした後に、本例のオンラインブックストアにおいて表示される、オンラインプラットフォームのウェブサイトのホームページのユーザーインターフェース（ＵＩ）の例のスクリーンショットが示されている。編集者は、このホームページから、スクリーンの左下部の「検索」をクリックすることで冊子を検索し、例えば上方のメニューバーまたはスクリーンの中央下部のいずれかの「マイアカウント」をクリックすることで自身のアカウントにアクセスし、例えば上方のメニューバーまたはスクリーンの左下部のいずれかの「ブラウザ」をクリックすることですべての冊子を閲覧することができる。
【００３１】
図３に示すステップＳ１１０において、編集者は、例えば図４に示すスクリーンの上方のメニューバーまたはスクリーンの中央下部のいずれかの「マイアカウント」をクリックすることで自身のアカウントにアクセスすることができる。これにより、編集者は図５に示す「アカウントオーバービュー」ページに導かれる。
【００３２】
図５を参照すれば、オンラインプラットフォームウェブサイトの「アカウントオーバービュー」のＵＩ表示の例のスクリーンショットが示されている。本ページにおいて、編集者はすでに生成されまたは進行中の冊子のリスト、および編集者によりなされたすべての注文の状態を閲覧できる。冊子リストにおいては、各冊子がその名前、作成日、その簡単な説明、およびその状態とともに表示される。例えば、進行中の冊子は、「インコンプリート」（進行中）、「レディー」（作成済であるが注文に対し対応していない）、「アクティブ」（注文に対応）として表示されることができる。ブックリストの終端に表示された「アクション」メニューにおいては、各冊子において選択可能なアクションのアイコンが表示される。例えば、アクションアイコンには、冊子の情報を編集するためのアイコン、冊子ファイルを編集するためのアイコン、印刷オプションを編集するためのアイコン、および冊子をアクティブ／非アクティブにするためのアイコンが含まれることができる。
【００３３】
図５に示す「アカウントオーバービュー」ページの左部において、編集者は、自身のファイルを管理するために「ファイルマネージャー」リンクをクリックし、冊子を作成するために「冊子の作成」リンクをクリックすることができる。編集者はまた、自身の個人情報を編集するために「個人情報の管理」リンクをクリックし、自身が注文しようとする商品を清算するために「ショッピングカート」リンクをクリックすることができる。
【００３４】
図３に示すステップＳ１２０においては、編集者は図５に示す「ファイルマネージャー」リンクをクリックすることでファイル管理タスクを実施する。これにより、編集者は、図６に示すオンラインプラットフォームウェブサイトの「ファイルマネージャー」ページに導かれる。
【００３５】
図６を参照すれば、オンラインプラットフォームウェブサイトの「ファイルマネージャー」ページのＵＩ表示の例のスクリーンショットが示されている。このページにおいて、編集者は、サーバーに保存された自身のファイルのリストを閲覧し、ファイルをアップロードまたは読み出すことができる。メインメニューバーは、アクティブ化された（すなわち、冊子としての利用または共有が可能となっている）「アクティブファイル」の表示をさせるためのボタン、非アクティブのままである「非アクティブファイル」の表示をさせるためのボタン、ファイルにラベルを付けるために使用される「ラベル」のボタン、および、編集者の他の仲間により共有される「共有ファイル」のボタンを有する。
【００３６】
図７を参照すれば、オンラインプラットフォームウェブサイトの「アクティブファイル」ページのＵＩ表示の例のスクリーンショットが示されており、そこにはアクティブ状態またはアクティブ化されたファイルが表示されている。メインメニューバーの下の補助メニューバーを使用して、編集者は、ファイルにラベルを適用し、ラベルに従った表示をするためにファイルターを使用し、編集者の仲間と選択されたファイルを共有し、選択されたファイルを非活性化することができる。
【００３７】
図３のステップＳ１２２においては、１以上のファイルが編集者によりアクティブ化または非アクティブ化されることができる。アクティブファイルは、そのネームの前の小さい四角いボックスをクリックした後、「非アクティブ化選択」ボタンをクリックすることにより非アクティブ化される。上述したように、アクティブファイルは、冊子または他人との共有により利用されており、または利用されることができるファイルである。非アクティブファイルは、いかなる冊子としても利用されておらず、または利用されることができないファイルである。しかし、非アクティブファイルは必ずしも消去されなくてもよい。非アクティブファイルのリストは、図８に示すように、「ファイルマネージャー」ページの上部のメインメニューにおいて「非アクティブファイル」ボタンをクリックすることで表示させることができる。
【００３８】
図８を参照すれば、非アクティブファイルは、アクティブファイルと同様の手法で表示される。そのため、冗長化を防ぐためにここでは詳細は記述されない。非アクティブファイルは、ファイルネームの前の小さい四角いボックスを最初にクリックした後、「再保存選択」ボタンをクリックすることで、アクティブファイルに戻して再保存されることができる。
【００３９】
戻って、図７を参照すれば、各ファイルはそのネームおよび作成日のみによる一行表示により、または、ファイルネームの前の小さいプラスサインアイコンをクリックすることによる拡張ビューにより、示されることができる。拡張ビューにおいては、小さいプラスサインアイコンは小さいマイナスサインアイコンに変化する。小さいマイナスサインアイコンをクリックすることにより一行表示に戻ることができる。
【００４０】
特に、図３に示すステップＳ１２４においては、編集者は、図７に示すように、「タイプ」の見出しの下に表示された各ファイルの終端のアイコンをクリックすることで、表示された各アクティブファイルのファイルタイプを設定および／または変更することができる。これらのファイルタイプアイコンには、例えば、通常の記事としてファイルを設定するためのアイコン、コンテンツの見出しとしてファイルを設定するためのアイコン、カバーページとしてファイルを設定するためのアイコン、およびページ割り付けがされていないファイルとしてファイルを設定するためのアイコンを含むことができる。ファイルタイプは、冊子内でファイルが正しく配置された冊子を作成するためにファイルが使用されるときに使用されることができる。これらのファイルタイプアイコンの一つをクリックすることにより、ファイルのタイプが容易に設定または変更することができる。
【００４１】
さらに、図３に示すステップＳ１２６において、編集者は、ファイルネームの前の小さい四角のボックスを最初にクリックした後、サプリメントメニューバーの「共有選択」ボタンをクリックすることにより、選択されたファイルを一以上の仲間と共有することができる。サプリメントメニューバー上には、図７に示すように、編集者により選択されたファイルの共有を求める当該仲間の名前の入力が可能な小さいダイアログボックスが表示される。選択されたファイルを仲間と共有することは、仲間が自身の冊子を作成するときに、仲間にそのファイルの閲覧および使用をする権利を許諾することになる。
【００４２】
図９を参照すれば、「ファイルマネージャー」ページの上部のメインメニューにおける「ラベル」ボタンをクリックすることで、ラベルの閲覧および管理ができる。現在使用されているラベルである、例えば、「最優先」が表示されている。各ラベルは、ラベルネームの終端のアイコンをそれぞれクリックすることで編集または消去されることができる。新しいラベルは、ラベルのリストの上に設けられたテキストボックスに新しいラベルネームを入力することで作成されることができる。
【００４３】
さらに、図３に示すステップＳ１２８において、編集者は、自身とその仲間で共有するファイルを管理することができる。「ファイルマネージャー」ページの上部のメインメニューバーにおける「共有ファイル」ボタンがクリックされることにより、図１０に示すように、他人により共有されているファイルのすべてを表示するページが表示される。
【００４４】
図１０を参照すれば、他人により共有されているファイルが表示されている。これらは、編集者により他人と共有されているファイルではないことに注意する。むしろ、これらは、他人により編集者と共有されているファイルである。例として、図１０に示すように、「共有先」との見出しの下において、そこに表示されているファイルは、編集者とファイルを共有する「教授２」により共有されていることが示されている。ファイルの状態は、「状態」との見出しの下に表示される。編集者は、選択されるために表示されたファイルのネームの前の小さな四角いボックスをクリックすることができ、次に、選択されたファイルを編集者とともに共有するとの仲間による申し出を拒否するか、当該申し出を受け入れるかのいずれかを行う。これは、「拒否選択」または「受入選択」のボタンをそれぞれクリックすることにより行うことができる。編集者が他人によるファイルの共有の申し出を拒否または受け入れる前は、共有ファイルの状態は「ペンディング」として表示される。編集者が最初にファイルを選択した後、「拒否選択」または「受入選択」のボタンをそれぞれクリックすることにより、他人によるファイルの共有の申し出を拒否または受け入れた後は、ファイルの状態はそれぞれ「拒否」または「受入」に変更されることになる。
【００４５】
図３に示すステップＳ１３２においては、編集者は、ファイルマネージャーページから、ファイルのアップロード、読み出し、または検索を行うことができる。戻って図６を参照すると、「ドキュメントのアップロード」ボタンをクリックすることで、編集者は、例えば図１に示すクライアントコンピュータのような自身のローカルコンピュータまたはラップトップのハードドライブ等のローカルに保存されたファイルを選択し、例えばネーム／タイトル、説明、著者、発行者、発行年等のファイルに関する情報を入力し、次に図１に示すサーバー２のようなオンラインプラットフォームサーバーにおいて編集者に割り当てられたファイルフォルダーにファイルをアップロードすることができる。ファイルがアップロードされると、編集者は、上述したように、編集者のファイルフォルダー内の他のすべてのファイルとともにそのファイルを管理することができる。
【００４６】
図１１を参照すれば、編集者は、例えば図１に示す著作権管理センター６により維持されているデータベースからドキュメントを読み出すことができる。この例では、編集者が記事のドキュメントＩＤを知っている場合は、記事のドキュメントＩＤを入力し、著作権データベースから記事を読み出すことができる。
【００４７】
図１２を参照すれば、供給されたＩＤによりドキュメントが検知されると、そのタイトル、著者、発行年、発行者、およびコストを含む情報が編集者に対し表示されることになる。それが正しいファイルである場合は、編集者は、「本ファイルを使用」ボタンをクリックし、編集者のファイルフォルダー内に読み出したファイルが置かれることができる。あるいは、供給された情報から、以前に取得し、同じドキュメントのより良いバージョンを持っていると編集者が認識した場合は、編集者は、そのドキュメントの自身のバージョンをアップロードし、データベースにより供給されるドキュメント情報を使用して合致するドキュメント情報、および著作権ライセンスや使用料の情報のような他の入手可能な情報をアップロードされたバージョンと再度結びつけることにより、そのドキュメントの自身のバージョンを使用することができる。読み出されたファイルが編集者により所望されたドキュメントでない場合は、「新たに検索」ボタンをクリックすることで新たな検索が実施されることができる。他の著作権管理センターデータベースまたは他の第三者データベースが、記事、ドキュメント、またはファイルを読み出すために利用できることになっている。
【００４８】
図１３を参照すれば、編集者は、データベースにより割り当てられまたは使用されているドキュメントＩＤを知らない場合、データベースからドキュメントを検索することができる。編集者は、タイトル、著者、および／またはドキュメントの発行年を入力することができ、データベース内で検索が実施される。ドキュメントが検知された場合、図１２に示すものと同様なスクリーンが表示され、上記に十分説明したように、編集者はそのドキュメントを使用し、必要であればそのドキュメントの自身のバージョンを使用し、または他のドキュメントを検索することができる。
【００４９】
戻って、図７を参照すれば、編集者はリストに表示されたファイルのどれかのネームをクリックすることで、図１４に示すように、ベージごとにファイルのコンテンツを表示することができる。
【００５０】
図１４を参照すれば、編集者のフォルダー内のファイルの全ページのコンテンツのＵＩ表示の例が示されている。ページの下部に、小さいサムネイル画像がスクロールバーとともに表示されており、加えて、「詳細編集」ボタンをクリックすることで編集が可能なファイルの詳細情報が表示されている。ページ上部のメインウィンドウにおいて、選択されたパージの広いフル画像がズームインおよびズームアウト可能に表示される。ページは、また、当該ページの上部右側の「回転」ボタンをクリックすることで正しい方位に表示されるように回転されることができる。
【００５１】
さらに、図３に示すステップ１３４において、編集者は、図１４に示すページの上部右側にある、図１５に示す小さなインタラクティブダイアログボックスを開くことができる「抜粋作成」ボタンをクリックすることでファイルの抜粋を作成することができる。
【００５２】
図１５を参照すれば、ページの右上部に示されている小さなインタラクティブダイアログボックスは、編集者に抜粋を作成するページ範囲を選択させるためのツールボタンを含む。ページ範囲が選択されると、編集者は、「抜粋を保存」ボタンをクリックすることができ、抜粋が編集者のファイルフォルダー内に別のファイルとして、しかし抜粋が形成されたオリジナルファイルのページ範囲を含むオリジナルファイルからの必要な情報すべてとともに、保存される。
【００５３】
図１６を参照すれば、抜粋による新たなファイルを含むアクティブファイルリストが示されている。この例においては、オリジナルの９ページのファイルと新たな３ページのファイルが表示されており、これらは独立してアクティブ化／非アクティブ化、ラベルの付加、または共有が可能である。これらのファイルタイプもまた独立に設定および変更可能である。しかしながら、オリジナルファイルから抜粋ファイルが作成されるため、抜粋ファイルは、ツリー表示配置において一段下に表示される結果、編集者がオリジナルファイルの前の小さいマイナスサインをクリックすると、同時にオリジナルファイルおよび抜粋ファイルの拡張表示が畳まれて２つの分離した１つのライン表示とされる。
【００５４】
編集者の管理の行き届いたファイルフォルダーは、ある意味では、編集者の小さな個人「図書館」のようなものである。その図書館は、正確な著作権のような知的財産（ＩＰ）権を読み出すために使用することができるメタデータを伴う記事を有する。その図書館内のいくつかの記事は、例えば、著作権管理センターにおけるデータベースのような著作権管理センターデータベースから読み出した記事のように、すでにＩＰ権と関連付けられていることができる。図書館における記事のいくつかは、例えば編集者によりアップロードされた記事のようにＩＰ権をまだ有していないものもあり得る。しかしながら、必要なＩＰ権の全ては、例えば読者により注文され購入された冊子内へ印刷されるように、記事が使用される前にオンラインプラットフォームにより取得されることができる。図書館内のファイルは必ずしもまだ購入されているとは限らないため、そのファイルをダウンロードしたり頒布したりすることはできないが、編集者は冊子を作成するためにファイルをプレビュー表示することができ、冊子のＩＰ権は、後に冊子が購入されるときに付与される。
【００５５】
図書館内の記事のいくつかは、価格情報も有することができる。記事の価格は、例えば、ページ数、編集者および／または読者の会員の地位、または所属等のいくつかの要因に基づく。記事のメタデータおよびその他の情報は、記事の価格を計算するために著作権管理センターに送られることができる。
【００５６】
各編集者はファイルフォルダーが割り当てられるため、自身の「図書館」を有している。しかしながら、編集者はファイルを共有することができる。このことは、編集者が互いに共有しているファイルをダウンロードすることができることを意味するものではない。むしろ、編集者は、互いにファイルを共有することで、オンラインプラットフォームにおけるファイルの情報およびファイルへのアクセスを共有する。従って、共有されているファイルは、サーバーに必ずしも２つ保存されている必要はない。ファイルが著作権管理センターデータベースから読み出されている場合は、編集者により共有されているものは単にファイルへのリンクである。しかしながら、編集者がドキュメントの自身のバージョンをアップロードし、著作権管理センターデータベースから読み出した「オリジナル」のドキュメントのメタデータにリンクさせた場合は、もしドキュメントの自身のバージョンをアップロードした編集者が他の編集者とアップロードしたバージョンを共有していなければ、他の編集者の図書館は、著作権管理センターデータベースに当該バージョンが保存されたときにオリジナルのドキュメントにリンクされたメタデータを有することとなるのみである。
【００５７】
さらに、編集者が、例えば、ＰＤＦ（Ｐｏｒｔａｂｌｅ  Ｄｏｃｕｍｅｎｔ  ｆｏｒｍａｔ）ファイルのページを回転させるようにファイルを変更した場合は、その編集者だけのために回転されたページのＰＤＦコピーが作成される。他の編集者は、それでもやはり、自身の図書館または著作権管理センターデータベースから読み出したときに、未変更のファイルのＰＤＦバージョンを有することになる。
【００５８】
戻って、図３を参照すると、オンラインプラットフォームにおいて編集者が実施することができる別の重要なタスクは、同様に、本発明の実施形態に係る著作物の編集物の作成および印刷をコンピュータに実行させる方法の一部である、冊子の作成である。ステップＳ１４０において、編集者は、図５に示すページ左部または「冊子を作成」リンクが提供されている他のページのいずれかの、図１７に示す「冊子を作成」ページにリンクしている「冊子を作成」リンクをクリックすることにより、新たな冊子を作成することができる。
【００５９】
図１７を参照すれば、オンラインプラットフォームウェブサイトの「冊子を作成」ページのＵＩ表示の例のスクリーンショットが示されている。図３に示すステップＳ１４２において、編集者は冊子の情報を入力する。図１７に示すＵＩは、編集者に冊子のネームおよび説明を入力させるためのテキストボックスを提供する。画像もまた、例えば図１に示すクライアントコンピュータ４のような編集者のローカルコンピュータから、例えば図１に示すサーバー２のようなオンラインプラットフォームプロバイダーズサーバーへアップロードされることができる。本例においては、冊子は教育施設のために作成されるため、編集者はまた、コース指導者の名前、冊子が使用される四半期および年度、冊子のメインカテゴリーを入力することができる。
【００６０】
図１８を参照すれば、図３に示すステップＳ１４４において編集者に冊子に含めようとする記事またはファイルを選択させるための「冊子を作成」ＵＩの次のページが示されている。図１８に示すように、冊子に使用可能なアクティブ化された記事が、ページの左側部に表示される。「表示フィルター」をクリックすることで、あるラベルが付されたファイルに注目するためにファイル表示に対しフィルターが適用されることができる。そこには使用されているファイルラベルが表示されるため、ファイルをフィルターするために使用しようとするフィルターが選択されることができる。例えば、「最優先」ラベルがフィルターのために選択される場合は、ファイルリストには「最優先」としてラベルが付されたファイルのみが表示されることになる。
【００６１】
「タイプ」の見出しの下の小さいアイコンにより、各記事のファイルタイプが表示される。ファイルネームの終端でファイルタイプアイコンの隣りの小さいプラスサインアイコンをクリックすることにより、ファイルが冊子に追加されることができる。一方、「全て追加」ボタンをクリックすることで、表示されている全てのファイルが冊子に追加される。冊子に追加されたファイルは、ページの右側部に表示される。
【００６２】
冊子に追加されたコンテンツファイルに加え、図３に示すステップＳ１４６において、編集者は、「ノートページ追加」ボタンをクリックすることで冊子にノートページを追加することができ、また「セパレーター追加」ボタンをクリックすることにより冊子にセパレーターページを追加することができる。ノートページは、読者のメモ書きのための空白ページであり、セパレーターページは、冊子の種々の部分、節、または章を分離するために使用されるページである。
【００６３】
ノートページおよびセパレーターページを含む冊子に追加される全てのファイルに関して、それらの個々のファイルタイプは、「タイプ」という見出しの下の小さいファイルタイプアイコンにより表示される。このことは、編集者に、例えば、通常記事、表紙画像、目次（ＴＯＣ）、ページ割付がない抜粋、ノートページ、セパレーターページ等の各ファイルのタイプとしてのクイックリファレンスを提供する。このことは、編集者が冊子の中のファイルのおおよその位置を素早く確定する助けとなり、その位置はファイルネームの後ろのムーブアップアイコンまたはムーブダウンアイコンをクリックすることにより調整されることができる。例えば、カバーページは冊子の先頭に位置させ、ノートページは冊子の後尾に位置させることができる。
【００６４】
冊子から取り除く必要があるページは、各ファイルネームの後ろのアイコン群のうちの小さいアイコンをクリックすることで取り除かれることができる。また、図１８に示す「全て消去」ボタンをクリックすることで冊子の全てのファイルが取り除かれることができる。例えば、「前ページ」および「次ページ」のようなページナビゲーションボタンが提供されることにより、編集者は、冊子の作成プロセスにおいて様々なページ間をナビゲートすることができる。
【００６５】
冊子のファイルが選択された後、図３に示すステップＳ１４８において、編集者は冊子の印刷のためのオプションを指定することができる。オンラインプラットフォームウェブサイトで編集者に提供されるＵＩは、図１９−２１に示されるように、これを円滑なプロセスとするために設計されている。
【００６６】
図１９を参照すれば、オンラインプラットフォームウェブサイトの「オプション」ページのＵＩ表示の例のスクリーンショットが示されている。このページから編集者は、例えば、「カラー」、「用紙」、「製本タイプ」ボタンをそれぞれクリックすることで、カラー、用紙、製本タイプ等の様々な印刷オプションを設定することができる。異なるオプションのための価格情報が表示される。印刷オプションのいくつかは必要とされるため、後に読者が冊子を注文するときに読者により変更されることができない。従って、編集者は、「オプションを表示」の前の小さいボックスをチェックしないままにすることで、印刷オプションのいくつかを読者に対し表示しないような選択をすることができる。図１９においては、編集者により設定されることができるカラーオプションが示されている。ページの左部における小さなウィンドウは、カラーオプションおよびそれらの個々の価格情報を表示する。冊子の概要はページの右部に表示され、編集者によりオプションが変更されるとすぐにリアルタイムで更新される。
【００６７】
図２０を参照すると、編集者により設定されることができる用紙オプションが示されている。ページの左部の小さいウィンドウは、用紙オプションおよびそれらの価格情報を表示する。
【００６８】
図２１を参照すれば、編集者により設定されることができる製本タイプオプションが示されている。ページの左部の小さいウィンドウは、製本タイプオプションおよびそれらの価格情報を表示する。この例においては、読者は異なる製本タイプを選択することができるため、「オプションを表示」の前の小さいボックスがチェックされる。これにより、読者は冊子の注文時に異なる製本タイプを選択することができることになる。例えば、読者は、節約のために、冊子ごとに１０ドルかかる「完全製本」に対し、冊子ごとにたった２ドルかかるだけである「ダブルステープル」製本タイプを選択することができる。印刷オプションが選択されたときは、編集者は、カラー、用紙、製本タイプ等の異なるオプションに関する価格差および読者に対する価格を確認することができる。編集者は、印刷オプションの選択の最終結果（すなわち、読者に対する価格）を確認できるため、編集者は読者のコストに慎重になることができる。
【００６９】
図３に示すステップＳ１５０において、全てのオプションが設定されると、編集者は、オプションページ（例えば、図１９−２１）に示されているページの右下側の「保存してサマリーへ移動」ボタンをクリックすることができる。これにより、図２２に示すような「サマリー」ページに導かれることになる。
【００７０】
図２２を参照すれば、オンラインプラットフォームウェブサイトの冊子作成の「サマリー」ページのＵＩ表示の例のスクリーンショットが示されている。ネーム、説明、作成日、印刷オプション、冊子に含まれるファイル等を含む冊子の詳細は、迅速かつ容易な参照のためにすべて表示される。冊子の詳細は、作成および保存された冊子の概要を提供するとともに、予定通りに作成されたかどうかを編集者が確認するための助けとなる。
【００７１】
図２３を参照すれば、オンラインプラットフォームウェブサイトの「マイアカウントオーバービュー」ページのＵＩ表示の例のスクリーンショットが示され、たった今作成および保存された冊子が示されている。
【００７２】
図３に示すステップＳ１６０において、編集者は、「アクション」の見出しの下の冊子ネームの終端の小さいプラスサインアイコンをクリックすることで後の購入のために冊子をアクティブ化することができる。購入可能とする冊子のアクティブ化を確認するためにテキストメッセージが簡潔に表示される。いかなる理由であれ編集者が冊子を購入不可能と決定する場合は、編集者は、「アクション」の見出しの下の冊子ネームの終端の小さいクロスサインアイコンをクリックすることで冊子を非アクティブ化することができる。その結果、図２３に示すように、非アクティブ冊子が「アクション」の見出しの下のネームの終端に小さいプラスサインアイコンを有することになるのに対し、アクティブ冊子は、「アクション」の見出しの下の冊子ネームの終端に小さいクロスサインアイコンを有することになる。冊子をアクティブ化することにより、編集者は、実際に冊子を発行し、または、冊子の購入が可能な状態にしている。
【００７３】
編集者が冊子をアクティブ化したとき、図２に示すコンピュータプログラムの冊子編集モジュール２４は、自動的に冊子に使用されている全ての記事およびコンテンツの著作権ライセンスまたは使用許諾を検証し、著作権証明書を作成する。冊子作成プロセスの一部として、冊子の編集がなされた後、プログラムのオンラインプラットフォームモジュールは著作権管理センターデータベースにアクセスし、冊子内で使用されている記事のＩＰおよび価格の情報を読み出し、クライアントのために価格を計算する。編集者の価格と読者の価格とは、それぞれ異なるＩＰ権を有しているため異なり得る。オンラインプラットフォームプログラムモジュールは、全ての記事が印刷許諾のような適当な使用許諾があるかどうかを確認する。そのような使用許諾および関連するポリシーは異なる著作権管理センターおよびそれにより維持されている個々のデータベース間で異なるため、モジュールはまた、データベースがページ範囲による抜粋、またはページを回転する等のようなオリジナル記事の他の変更を認めているかどうかを検討する。
【００７４】
オンラインプラットフォームプログラムの冊子編集モジュールは、価格設定および使用料の情報、および冊子内で記事およびコンテンツを使用するための適用可能な著作権ライセンスまたは使用許諾に必要な他の要件を含んでいる、メタデータまたは他の情報またはＰＤＦドキュメントのバーコードのようなしるしまたはマルチメディアコンテンツのタグを検査する。冊子の記事またはコンテンツは、それぞれ著作権のメタデータまたはタグまたは他のしるしまたは情報アイテムが含まれることができ、これらはときにはページ単位で検証される。この検査および検証プロセスは、検証および検査ステップＳ１６０に含まれる。
【００７５】
全ての要件が満たされている場合は、認証されたページが自動的に作成され、例えば、冊子のカバーページの後ろの第２ページとして冊子に挿入される。そのような認証されたページの例が図２４に示されている。著作権認証ページは、全ての記事およびコンテンツが適当な著作権の使用許諾（例えば、印刷の許諾）を有している場合のみ作成される。全ての記事およびコンテンツが適当な著作権の使用許諾を有していない場合は、エラーメッセージが作成され、冊子が作成されないか、またはプレビューが認められないことになる。著作権認証ページが自動的に冊子に挿入されることにより、本の使用者または読者は、冊子に使用されている全ての記事およびコンテンツが適法な著作権ライセンスまたは使用許諾を有していると知ることで安心を得ることになる。
【００７６】
上述のプロセスは、コンピュータソフトウェアプログラムにより実行されることができる。本発明はまた、実装されることでデータ処理装置を制御する、コンピュータにより読み取り可能なプログラムコードを有するコンピュータにより利用可能な非一時的な媒体（例えば、メモリーまたは記憶素子）や、上述したプロセスをデータ処理装置に実行させるためのコンピュータにより読み取り可能なプログラムコードを提供する。
【００７７】
本発明に係る方法および関連する装置において、本発明の精神または範囲から離れることなく様々な変更および変形が可能であることは当業者にとって明らかであろう。従って、本発明には、添付したクレームおよびその均等発明の範囲内の変更物および変形物が包含されることが意図されている。
【図１】
2014013558.tif 000003
【図２】
2014013558.tif 000004
【図３】
2014013558.tif 000005
【図４】
2014013558.tif 000006
【図５】
2014013558.tif 000007
【図６】
2014013558.tif 000008
【図７】
2014013558.tif 000009
【図８】
2014013558.tif 000010
【図９】
2014013558.tif 000011
【図１０】
2014013558.tif 000012
【図１１】
2014013558.tif 000013
【図１２】
2014013558.tif 000014
【図１３】
2014013558.tif 000015
【図１４】
2014013558.tif 000016
【図１５】
2014013558.tif 000017
【図１６】
2014013558.tif 000018
【図１７】
2014013558.tif 000019
【図１８】
2014013558.tif 000020
【図１９】
2014013558.tif 000021
【図２０】
2014013558.tif 000022
【図２１】
2014013558.tif 000023
【図２２】
2014013558.tif 000024
【図２３】
2014013558.tif 000025
【図２４】
2014013558.tif 000026
【外国語明細書】
2014013558000001.pdf
2014013558000002.pdf
2014013558000003.pdf
2014013558000004.pdf